(57)【要約】【課題】ＬＩＭＳなどの分析情報管理システムにおいて、各分析に対して一意に付与される管理番号の桁数が長いため、分析を行うユーザが覚えにくく、入力ミスが生じる可能性があった。【解決手段】分析情報管理システムによって各分析に付される一意の正管理番号（通常は８〜１０桁）に対して、その正管理番号の桁数よりも短い桁数から成る（例：３桁の数字）簡易管理番号を割り当てる。簡易管理番号は一意ではなく、正管理番号に対して循環的に割り当てられるが、分析が完了して入力された分析データが登録される際には再び正管理番号に変換されるため、適宜に桁数（使用可能な簡易管理番号の数）を設定しておくことにより、進行中の分析に重複した簡易簡易番号が振られてしまうことはない。これにより、ユーザが取り扱う管理番号の桁数を小さくすることができるため、覚えやすく、入力ミスも防止される。【選択図】図１
2008241386.tif 000002
【特許請求の範囲】
【請求項１】
分析の指示内容が記載された分析指示データを出力し、分析の結果である分析データを管理する機能を備えた、分析の手順やスケジュールを管理する分析情報管理システムであり、
a)該分析情報管理システムより出力される各分析指示データに付される一意の正管理番号と、予め定められた、前記正管理番号の桁数よりも短い桁数から成る有限個の簡易管理番号と、の対応が記載される番号対応表を記憶する番号対応表記憶部と、
b)該分析情報管理システムから出力された各正管理番号に対し、前記番号対応表を参照しつつ、前記簡易管理番号を順に循環的に付与する番号割当部と、
を備えることを特徴とする分析情報管理システム。
【請求項２】
更に、
c)該分析情報管理システムに入力される分析データに付された簡易管理番号を読み取り、前記番号対応表を参照することにより、該簡易管理番号を対応する正管理番号に変換する番号変換部
を備えることを特徴とする請求項１に記載の分析情報管理システム。
【発明の詳細な説明】
【技術分野】
【０００１】
本発明は、ラボラトリ情報管理システム（Laboratory Information Management System：ＬＩＭＳ）といった、分析装置、計測装置、測定装置による分析試験を総合的に管理する分析情報管理システムに関するものである。
【０００２】
本明細書では、各種の分析、計測、測定等を一括して「分析」と称する。また、このような各種分析を行うための種々の装置を一括して「分析装置」と称する。
【背景技術】
【０００３】
複数の分析装置を用いて各種の分析や計測を行う研究施設では、分析を高効率で進めることが要求される。そこで、最近では分析装置を単体で使用するのではなく、ＬＡＮ（Local Area Network）などのネットワークによって、分析装置と制御用装置やデータ管理装置等（通常、これらの実体はコンピュータである）とを互いに接続するネットワーク型の分析形態が一般化している。これにより分析装置の遠隔操作が可能になり、また、取得された分析データを管理したり利用したりすることも容易に行うことができる。
【０００４】
研究施設においては、一回で完結する単一的な分析が行われるだけでなく、ユーザによって立案された分析計画に基づく多数の分析が順次実行されることがよくある。同一種類（例えば液体クロマトグラフ）の分析装置が複数台利用可能な環境においては、複数の同一種類の分析装置を稼働させて分析が行われる。こうなると、研究施設全体（または特定の部署内や部屋内など）で行う分析を総括的に管理することが、高効率な分析を実行するうえで重要になってくる。このようなニーズに応えるために、近年では研究施設にはラボラトリ情報管理システム（ＬＩＭＳ）などの情報管理システムが導入されることが一般的になりつつある。ＬＩＭＳはデータベースを中核とする管理システムであって、研究施設において実施する分析の手順（ワークフロー）やスケジュールを管理したり、分析データの解析や分析を行ったりする機能を備えている。情報管理システムの実体は所定のプログラムを実行するコンピュータ（サーバやワークステーションを含む）である。
また近年、とりわけ食品、医薬品、医療用具等に関連する研究施設ではＧＬＰ（Good Laboratory Practice）やＧＭＰ（Good Manufacturing Practice）で定められた製造管理及び品質管理の基準（ガイドライン）に対応したり、２１ ＣＦＲ ＰＡＲＴ１１（米国の電子記録・電子署名に関する規制条例）で定められている電子文書の基準に対応したりすることが求められているが、研究施設全体がこういった基準を遵守するための管理機能を分析情報管理システムが備えていることも多い。
【０００５】
製品化されたＬＩＭＳソフトウエアの例には、LabWare社のLabWare LIMS（非特許文献１参照）や、STARLIMS社のSTARLIMS（非特許文献２参照）がある。
【０００６】
【非特許文献１】LabWare社,"Labware Product",[online],[平成19年3月20日検索],インターネット<URL:http://www.labware.com/LWWeb.nsf/lp/en04>
【非特許文献２】STARLIMS社,"LIMS by STARLIMS",[online],[平成19年3月20日検索],インターネット<URL:http://www.starlims.com/>
【発明の開示】
【発明が解決しようとする課題】
【０００７】
分析情報管理システムによって分析を管理する場合、ユーザが分析情報管理システムを操作することによって分析の計画を入力する。この入力に基づき、分析情報管理システムは分析指示データ（分析指示書）を作成する。分析指示データには或る分析に関して、分析の種類及び分析条件が記載されており、各分析指示データには複数桁（通常８〜１０桁）の数字や記号から成る一意の管理番号が付与される。
分析装置を操作する分析オペレータ（通常、この分析オペレータと分析情報管理システムを操作するユーザは異なる人物である）は、分析情報管理システムによって作成された分析指示書をプリントアウトしたり所定のモニタに表示させたりすることによって分析指示書に含まれる内容を確認して、指示に基づく分析を実行する。分析が終了すると、分析オペレータは分析結果である分析データを管理番号と関連付けて、分析情報管理システム等に送信する。
【０００８】
上述したように、通常の管理番号は８〜１０桁の数字や記号から成っている。そして、この管理番号は重複しないユニークな番号である必要があるため、この桁数を短くすることは困難であった。
分析装置の種類によっては（例：天秤など）ネットワークに接続する機能を有していないものがあり、こういった分析装置を用いて分析を行った場合、ユーザは分析データ及び管理番号を手作業によって分析情報管理システムに入力する必要がある。このとき、管理番号が長く覚えにくいため、入力ミスが生じてしまうおそれがあった。入力ミスを防ぐためにバーコードを利用するという方法もあるが、分析機器の機種によっては、バーコードに対応していないものがある。また、バーコードリーダ等の設備を導入するのにコストが掛かるという欠点もある。
【課題を解決するための手段】
【０００９】
上記課題を解決するために成された本発明に係る分析情報管理システムは、分析の指示内容が記載された分析指示データを出力し、分析の結果である分析データを管理する機能を備えた、分析の手順やスケジュールを管理する分析情報管理システムであり、
a)該分析情報管理システムより出力される各分析指示データに付される一意の正管理番号と、予め定められた、前記正管理番号の桁数よりも短い桁数から成る有限個の簡易管理番号と、の対応が記載される番号対応表を記憶する番号対応表記憶部と、
b)該分析情報管理システムから出力された各正管理番号に対し、前記番号対応表を参照しつつ、前記簡易管理番号を順に循環的に付与する番号割当部と、
を備えることを特徴としている。
【００１０】
また、本発明に係る分析情報管理システムは、
c)該分析情報管理システムに入力される分析データに付された簡易管理番号を読み取り、前記番号対応表を参照することにより、該簡易管理番号を対応する正管理番号に変換する番号変換部と、
を備える構成とすることができる。
【００１１】
（語句の定義）
「ラボラトリ」：分析装置を有する研究施設、研究機関、分析機関、分析部門、研究室など。
「分析情報管理システム」：各種分析を行うラボラトリにおいて分析の手順やスケジュールを管理するために設けられるシステム。このような分析情報管理システムには、ラボラトリ情報管理システム（ＬＩＭＳ）として知られるシステムのほか、ラボラトリデータ管理システム（ＬＤＭＳ）なども含まれる。本発明における分析情報管理システムは、少なくとも分析指示データを出力する機能を備えるものとする。分析情報管理システムの実体は通常、所定の情報管理プログラム（例えばLIMSソフトウエア）が実行されているコンピュータである。
「分析指示データ」：分析情報管理システムから出力される、分析オペレータに対して分析の内容を指示するデータ。すなわち、分析オペレータはこの分析指示データを参照することにより、適宜に分析を行う。一つの分析指示データは通常一つの分析に対応しているが、一つの分析指示データに複数の分析が含まれることもある。分析指示データには一意の管理番号とともに、分析の内容に関する各種の情報が含まれる。
「分析データ」：分析を行った結果、取得されたデータ。
【発明の効果】
【００１２】
本発明に係る分析情報管理システムによれば、８〜１０桁程度の長さである正管理番号が、分析が実際に行われる間、即ち分析オペレータが扱う間、その正管理番号より桁数が短い簡易管理番号に置き換えられる。従って、分析を行う分析オペレータの立場からすれば、管理番号がより記憶しやすく、扱い易くなる。管理番号の桁数が短くなることにより、入力時に誤った番号を入力してしまうという恐れも低減される。
【発明を実施するための最良の形態】
【００１３】
以下、本発明に係る分析情報管理システムの構成例及び動作例について、図面を参照しつつ説明する。図１は、本実施形態の分析情報管理システムを含む分析システムの概略構成図である。
図１に示すように、本実施形態の分析システムには、ＬＡＮなどのデータ通信ネットワークＮＷを介して２台のガスクロマトグラフ（ＧＣ１、ＧＣ２）及び２台の液体クロマトグラフ（ＬＣ１、ＬＣ２）と、制御端末（ＰＣ−１、ＰＣ−２）とが接続されている。
また、分析情報管理システム１及び分析データ管理システム２０は互いに通信可能に接続されているとともに、いずれもデータ通信ネットワークＮＷに接続されてもいる。分析データ管理システム２０は分析を行った結果取得された分析データ全体をデータベース化して格納するためのシステムであり、分析データは分析データデータベース（分析データＤＢ）２１に格納される。
当然、図１の構成は一例に過ぎず、分析装置の制御を司るシステム制御サーバなどが更にデータ通信ネットワークＮＷに接続されてもよい。また、本実施形態における構成では分析装置であるＧＣ１、ＧＣ２、ＬＣ１、ＬＣ２が全てデータ通信ネットワークＮＷに接続されているが、本発明においては、分析装置がデータ通信ネットワークＮＷに接続されている必要はない。
【００１４】
分析情報管理システム１は、番号対応表記憶部２、番号割当部４、番号変換部５を含んでいる。分析情報管理システム１はＣＰＵやメモリ、記憶媒体等を含んで成る一般的なワークステーションやコンピュータによって構成される。番号割当部４及び番号変換部５は基本的にはＣＰＵが所定のプログラムを実行することによってソフトウエア的に実現される構成である。また、図１に示す本実施形態では、分析情報管理システム１と分析データ管理システム２０とは互いに独立して描かれているが、これらが一体であっても構わない。
【００１５】
番号対応表記憶部２には番号対応表３が読み書き可能な状態で保存されている。番号対応表記憶部２は専用に設けられた記憶装置であってもよいし、分析情報管理システム１に含まれるハードディスクやフラッシュメモリ等から成る記憶部の所定領域に設けられていても良い。
番号対応表３には、図２に示すように、予め設定された有限個の簡易管理番号が並んでおり、各簡易管理番号に対して正管理番号を対応付けて記憶させることができる構造となっている。簡易管理番号は、分析情報管理システム１によって分析指示データに対して自動的に振られる正管理番号の桁数よりも短い桁数のものを設定しておく。簡易管理番号はユーザが覚えやすい長さであるように２〜３桁の数字や文字とするのがよく、長くても４桁程度に抑えることが望ましい。図２に示す例では、簡易管理番号は「０００」〜「９９９」の範囲の３桁の数字である。
詳細は後述するが、簡易管理番号は分析情報管理システム１より或る分析が分析指示データとして出力されてから分析結果である分析データが登録される迄の間、重複されることなく用いられる必要がある。従って、本発明の分析情報管理システム１を適用する分析システム全体において分析がどの程度の頻度や回数で行われるかによって、簡易管理番号の桁数を設定しておく必要がある。
【００１６】
本実施形態に係る分析システムにおける分析の流れについて説明する。まず、分析情報管理システム１から分析指示データが出力される。このとき、分析指示データには行われるべき分析の詳細に加えて正管理番号「１０００１２１０３」が付与されている。番号割当部４は番号対応表記憶部２に含まれる番号対応表３を参照し、次に使用することができる簡易管理番号である「０５４」を特定し、正管理番号「１０００１２１０３」に対してその簡易管理番号「０５４」を付与する。すなわち、番号対応表３において簡易管理番号「０５４」に対して正管理番号「１０００１２１０３」を記録し、且つ、分析指示データにおける正管理番号を簡易管理番号「０５４」に書き換える。
【００１７】
分析情報管理システム１から次々と正管理番号を含む分析指示データが出力されると、番号割当部４は、順次、各正管理番号に対して簡易管理番号を付与してゆく。簡易管理番号が「９９９」に達すると、番号割当部４は再び簡易管理番号「０００」を使用する。すなわち、番号対応表３において簡易管理番号「０００」に対応する正管理番号を上書き更新する。このようにして番号割当部４は正管理番号に対して簡易管理番号を循環的に付与してゆく。なお、次に使用することができる簡易管理番号を適切に知るために、番号割当部４は番号対応表３に次の簡易管理番号を指示する指示子を設定するとよい。
【００１８】
分析を行う分析オペレータは、分析情報管理システム１から出力された分析指示データを制御端末ＰＣ−１上で見て、若しくはプリンタよりプリントアウトすることにより行うべき分析の内容を確認し、分析装置を適宜に操作することによって分析を実行する。
ところで、実際に分析を行う際には、サンプルを容器（例：バイアル）等に入れて扱うことがある。このような場合には、サンプルを容易に識別できるように容器に管理番号を記載することが望ましい。ペン等を用いて管理番号を直接容器に記載してもよいし、必要に応じて簡易管理番号をラベルプリンタを用いて貼り付け可能なラベルとして出力して、容器に貼り付けることもできる。バーコードリーダを使用可能な環境であれば、簡易管理番号をバーコード化してもよい。いずれにせよ、本発明の分析情報管理システムでは従来使用しなければならなかった正管理番号と比較して簡易管理番号の桁数が小さいため、作業が簡便化される。加えて、サンプルやサンプルを格納する容器が小さくても、識別用の管理番号を付与することができるようになる。
分析が終了すると、分析オペレータは制御端末ＰＣ−１を操作することにより、分析を行った結果取得された分析データに簡易管理番号「０５４」を付与して、それを分析データ管理システム２０に対して送信する。
【００１９】
分析データ管理システム２０は、受信した分析データを分析データＤＢ２１に格納する。このとき、分析データ管理システム２０では、受信した分析データに対して一意の識別番号を付与してもよい。しかし簡易管理番号は再使用されるため、通常は分析データと簡易管理番号とを関連付けた状態で分析データＤＢ２１に保存する必要はない。分析データ管理システム２０は、自動的に、又は分析オペレータ等のユーザから与えられる指示に基づき、分析情報管理システム１に対して分析データ（または分析情報管理システム１に対して送信すべき、分析データの一部）を簡易管理番号「０５４」を付して送信する。
【００２０】
分析情報管理システム１において番号変換部５は、入力された分析データに含まれている簡易管理番号「０５４」を読み取る。そして、番号対応表記憶部２に保存されている番号対応表３を参照することによって、この簡易管理番号「０５４」に対応する正管理番号「１０００１２１０３」を読み出し、分析データの簡易管理番号「０５４」を正管理番号「１０００１２１０３」に変換する。分析情報管理システム１は、この分析データを正管理番号とともに分析結果データベース（分析結果ＤＢ）６に格納する。
【００２１】
以上、本発明に係る分析情報管理システムについて説明を行ったが、上記は例に過ぎないことは明らかであり、本発明の精神内において適宜に改良や変更を行っても構わない。
例えば、上記実施形態では、分析指示データには管理番号として簡易管理番号のみが含まれているが、正管理番号とともに、簡易管理番号を記載するようにしてももちろん構わない。とりわけ、分析システムにおいて殆ど全ての構成がネットワークによって接続されており、分析情報管理システム１から出力される分析指示データに含まれるデータを引き継いで利用して分析データを分析データ管理システム２０に送信することが可能な分析システムの形態においては、分析オペレータの目に触れる場面では（例えば制御端末ＰＣ−１上では）簡易管理番号のみを表示させつつ、実際には簡易管理番号と対応付けられた正管理番号も分析指示データや分析データに含まれる構成とすることができる。この構成によれば、番号変換部５を省略することができる。
【００２２】
また、番号割当部４が正管理番号を簡易管理番号に変換するタイミングは、分析指示データが発行される前の段階であっても構わない。
さらにまた、分析情報管理システム１と分析データ管理システム２０が一体的に構成されているような分析システムにおいても、本発明の分析情報管理システムは適用可能である。この形態の場合、分析オペレータの側より分析データが入力された時点で番号変換部５が簡易管理番号を正管理番号に書き換えるようにしてもよい。
【図面の簡単な説明】
【００２３】
【図１】本発明に係る分析情報管理システムを含む分析システムの概略構成図。
【図２】本発明に係る番号対応表の構成を表す概念図。
【符号の説明】
【００２４】
１…分析情報管理システム
２…番号対応表記憶部
３…番号対応表
４…番号割当部
５…番号変換部
６…分析結果ＤＢ
２０…分析データ管理システム
２１…分析データＤＢ
ＧＣ１、ＧＣ２…ガスクロマトグラフ
ＬＣ１、ＬＣ２…液体クロマトグラフ
ＮＷ…データ通信ネットワーク
【図１】
2008241386.tif 000003
【図２】
2008241386.tif 000004